(57)【要約】【課題】監視カメラ装置内で発生したログデータを監視カメラ装置単体により時間をかけず効率的に解析することが可能な監視カメラ装置を提供する。【解決手段】時刻情報を元に時間情報３０２を生成し、デジタル映像データ１０３を時間情報３０２に基づくタイミングで符号化し符号化データ３０１を生成してバッファリングすると共に、符号化過程におけるエラーを検出してログデータ３０４を生成する映像処理部１３と、ログデータ３０４に時間情報３０２を多重し、映像処理部１３でバッファリングされている符号化データ３０１と時間的に同一となるよう、時間情報３０２を多重されたログデータ３０４をバッファリングするエラー監視部１４と、符号化データ３０１および時間情報３０２を多重されたログデータ１０４を、隣り合ったアドレスに格納する内蔵記録媒体部１７とを備える。【選択図】図２
2013157802.tif 000002
【特許請求の範囲】
【請求項１】
映像を撮像してデジタル映像データを生成する監視カメラ装置において、
時刻情報を元に時間情報を生成し、前記デジタル映像データを前記時間情報に基づくタイミングで符号化し符号化データを生成してバッファリングすると共に、前記符号化過程におけるエラーを検出してログデータを生成する映像処理部と、
前記映像処理部により生成されたログデータに前記時間情報を多重し、前記映像処理部でバッファリングされている符号化データと時間的に同一となるよう、前記時間情報を多重されたログデータをバッファリングするエラー監視部と、
前記映像処理部によりバッファリングされている符号化データおよび前記エラー監視部によりバッファリングされている前記時間情報を多重されたログデータを、隣り合ったアドレスに格納する内蔵記録媒体部とを備える
ことを特徴とする監視カメラ装置。
【請求項２】
映像を撮像してデジタル映像データを生成する監視カメラ装置において、
時刻情報を元に時間情報を生成し、前記デジタル映像データを前記時間情報に基づくタイミングで符号化し符号化データを生成してバッファリングすると共に、前記符号化についての処理の過程におけるエラーを検出してログデータを生成する映像処理部と、
前記映像処理部により生成されたログデータに前記時間情報を多重し、前記映像処理部でバッファリングされている符号化データと時間的に同一となるよう、前記時間情報を多重されたログデータをバッファリングするエラー監視部と、
前記映像処理部によりバッファリングされている符号化データに前記エラー監視部によりバッファリングされている時間情報を多重されたログデータを時間的に同一となるように多重する映像多重メモリ部と、
前記映像多重メモリ部により時間的に同一なログデータを多重された符号化データを格納する内蔵記録媒体部とを備える
ことを特徴とする監視カメラ装置。
【請求項３】
前記映像多重メモリ部は、前記映像処理部によりバッファリングされている符号化データの補助データ期間に、前記エラー監視部によりバッファリングされている時間情報を多重されたログデータを多重する
ことを特徴とする請求項２記載の監視カメラ装置。
【請求項４】
前記映像多重メモリ部は、前記映像処理部によりバッファリングされている符号化データ上に、前記エラー監視部によりバッファリングされている時間情報を多重されたログデータを符号化データに変換して多重する
ことを特徴とする請求項２記載の監視カメラ装置。
【発明の詳細な説明】
【技術分野】
【０００１】
この発明は、撮影した映像を内蔵されたメモリカードなどの内蔵記録媒体に記録する機能を有する監視カメラ装置に関するものである。
【背景技術】
【０００２】
従来の監視カメラ装置として、例えば特許文献１では、映像をレンズと撮像素子で取り込んで映像処理を行い、ＪＰＥＧなどの圧縮方式で符号化したデジタル映像データをネットワークへ送出すると共に、デジタル映像データをネットワークカメラ内に内蔵された記録媒体に記録することを開示している。また、例えば特許文献２では、制御したときの制御情報や障害が発生したときのエラー情報（以下、「ログデータ」と呼ぶ。）をネットワークへ配信することが開示されており、また、例えば特許文献３では、ログデータをメモリに記憶することが開示されている。
【先行技術文献】
【特許文献】
【０００３】
【特許文献１】特開２００５−３３３１９３号公報
【特許文献２】特開２０００−８３２４１号公報
【特許文献３】特開２００４−２１３７０９号公報
【発明の概要】
【発明が解決しようとする課題】
【０００４】
特許文献１〜３のような従来の監視カメラ装置は、以上のように構成されているので、監視カメラ装置内で発生したログデータを監視カメラ装置単体により解析するときにログデータに時間的に近いデジタル映像データを時間情報に基いて探し出して解析しなければならず、ログデータを解析するのに時間がかかってしまうという課題があった。
【０００５】
この発明は、上記のような課題を解決するためになされたものであり、監視カメラ装置内で発生したログデータを監視カメラ装置単体により時間をかけず効率的に解析することが可能な監視カメラ装置を提供することを目的とする。
【課題を解決するための手段】
【０００６】
上記目的を達成するために、この発明に係る監視カメラ装置は、映像を撮像してデジタル映像データを生成する監視カメラ装置において、時刻情報を元に時間情報を生成し、前記デジタル映像データを前記時間情報に基づくタイミングで符号化し符号化データを生成してバッファリングすると共に、前記符号化過程におけるエラーを検出してログデータを生成する映像処理部と、前記映像処理部により生成されたログデータに前記時間情報を多重し、前記映像処理部でバッファリングされている符号化データと時間的に同一となるよう、前記時間情報を多重されたログデータをバッファリングするエラー監視部と、前記映像処理部によりバッファリングされている符号化データおよび前記エラー監視部によりバッファリングされている前記時間情報を多重されたログデータを、隣り合ったアドレスに格納する内蔵記録媒体部とを備えることを特徴とする。
【発明の効果】
【０００７】
この発明によれば、デジタル映像データとログデータをメモリカード部の隣り合ったアドレスに書き込むように構成したので、ログデータをキーワードにして映像を検索することが可能となり、ログデータを監視カメラ装置単体によって時間をかけず効率的に解析することができる。
【図面の簡単な説明】
【０００８】
【図１】この発明の実施の形態１に係る監視カメラ装置を組み込んだネットワークカメラシステムの全体構成図を示す。
【図２】この発明の実施の形態１に係る監視カメラ装置の構成図を示す。
【図３】この発明の実施の形態１に係る監視カメラ装置の処理のフローチャートを示す。
【図４】この発明の実施の形態１に係る監視カメラ装置のメモリカード部への書き込み構成の説明図を示す。
【図５】この発明の実施の形態１に係る監視カメラ装置の映像処理部の処理のフローチャートを示す。
【図６】この発明の実施の形態２に係る監視カメラ装置の構成図を示す。
【図７】この発明の実施の形態２に係る監視カメラ装置の処理のフローチャートを示す。
【図８】この発明の実施の形態２に係る監視カメラ装置のログデータを多重したデジタル映像データをメモリカード部に書き込むときの構成の説明図を示す。
【図９】この発明の実施の形態２に係る監視カメラ装置の映像多重メモリ部が符号化データに時間情報を多重されたログデータを多重するデータ構成の説明図を示す。
【図１０】この発明の実施の形態３に係る監視カメラ装置の映像多重メモリ部がデジタル映像データの補助データ期間にログデータを多重するデータ構成の説明図を示す。
【図１１】この発明の実施の形態３に係る監視カメラ装置の処理のフローチャートを示す。
【図１２】この発明の実施の形態４に係る監視カメラ装置の映像多重メモリ部がデジタル映像データ上にログの符号化データを多重するデータ構成の説明図を示す。
【図１３】この発明の実施の形態４に係る監視カメラ装置のデジタル映像の表示例を示す。
【図１４】この発明の実施の形態４に係る監視カメラ装置の処理のフローチャートを示す。
【発明を実施するための形態】
【０００９】
実施の形態１．
図１は、この発明の実施の形態１に係る監視カメラ装置１を組み込んだネットワークカメラシステムの全体構成図を示す。このネットワークカメラシステムは、監視カメラ装置１ａ〜１ｃ、ネットワーク２、映像記録装置３によって構成されている。このネットワークカメラシステムにおいて、監視カメラ装置１で生成したデジタル映像データとログデータ１０１ａ〜１０１ｃはネットワーク２を介して映像記録装置３に伝送され、映像記録装置３において記録される。
【００１０】
図２は、この発明の実施の形態１に係る監視カメラ装置１の構成図を示す。この監視カメラ装置１は、被写体を入力するレンズ部１１、レンズ部１１により入力された光信号１０２を電子データに変換してデジタル映像データ１０３を生成する撮像素子部１２、時刻情報を元に時間情報３０２を生成し、撮像素子部１２により生成されたデジタル映像データ１０３を時間情報３０２に基づくタイミングで符号化し符号化データ３０１を生成してバッファリングすると共に、符号化過程におけるエラーを検出してログデータ３０４を生成する映像処理部１３と、映像処理部１３により生成されたログデータ３０４に時間情報３０２を多重し、映像処理部１３でバッファリングされている符号化データと時間的に同一となるよう、内部メモリ部１５において、時間情報３０２を多重されたログデータ１０４をバッファリングするエラー監視部（ＣＰＵ）１４、ネットワーク２を介して符号化データ３０１や時間情報３０２を多重されたログデータ１０４等のデータを送信するネットワーク送信部１６、映像処理部１３によりバッファリングされている符号化データ３０１およびエラー監視部１４によりバッファリングされている時間情報３０２を多重されたログデータ１０４を、隣り合ったアドレスに格納するメモリカード部（内蔵記録媒体部）１７を備えている。
【００１１】
映像処理部１３は、撮像素子部１２により生成されたデジタル映像データ１０３をバッファリングする映像受信メモリ部３１、映像受信メモリ部３１によりバッファリングされたデジタル映像データ１０３を符号化する映像符号化部３２、映像符号化部３２により符号化された符号化データ３０１をバッファリングし、バッファリングされた符号化データ３０１をネットワーク送信部１６、メモリカード部１７へ送信する映像送信メモリ部３３、自己クロックまたはネットワーク２から送出される時刻情報を元に時間情報３０２を生成する時間情報生成部３４、時間情報生成部３４により生成された時間情報３０２から映像符号化部３２による符号化処理の基準となる映像符号化タイミング３０３を生成する映像符号化タイミング生成部３５、映像受信メモリ部３１によりバッファリングされたデジタル映像データ１０３、映像符号化部３２により符号化された符号化データ３０１や、映像送信メモリ部３３でバッファリングされた符号化データ３０１から符号化処理の過程におけるエラーを検出する他、制御内容の切替りや系の切替や監視カメラ装置１のリセットが入ったか否かを検出してログデータ３０４を生成するエラー検出部３６によって構成されている。
【００１２】
メモリカード部１７に格納された符号化データ３０１と時間情報３０２を多重されたログデータ１０４については、メモリカード部１７に直接パソコンなどの再生装置によってアクセスすることにより確認することができる。また、ネットワーク２に接続した外部機器によってもメモリカード部１７に格納されたデータ１０５をネットワーク２を介して読み込むことにより確認することができる。
【００１３】
次に動作の説明を行う。図３は、この発明の実施の形態１に係る監視カメラ装置の処理のフローチャートを示す。まず、レンズ部１１が被写体を入力し、撮像素子部１２がレンズ部１１によって入力された光信号１０２を電子データに変換し、デジタル映像データ１０３として映像処理部１３に出力する（ステップＳＴ１１）。映像処理部１３において時間情報生成部３４が時間情報３０２を生成し、映像符号化タイミング生成部３５およびエラー監視部１４へ出力する（ステップＳＴ１２）。映像処理部１３は、光電子変換されたデジタル映像データ１０３に対して映像処理を行い（ステップＳＴ１３）、符号化データ３０１を生成し、符号化データ３０１をバッファリングしてネットワーク送信部１６およびメモリカード部１７に出力する（ステップＳＴ１４）。
【００１４】
次に、映像処理部１３において、エラー検出部３６がログデータ３０４を生成してエラー監視部１４へ出力する（ステップＳＴ１５）。エラー監視部１４が、映像処理部１３の、時間情報生成部３４により生成された時間情報３０２と、エラー検出部３６により生成されたログデータ３０４を多重することにより時間情報３０２を多重されたログデータ１０４を生成し（ステップＳＴ１６）、エラー監視部１４の内部メモリ部１５において時間情報３０２を多重されたログデータ１０４をバッファリングしてネットワーク送信部１６およびメモリカード部１７へ出力する（ステップＳＴ１７）。
【００１５】
このとき、映像送信メモリ部３３においてバッファリングされた符号化データ３０１と時間的に同一となるように、エラー監視部１４は時間情報３０２を多重されたログデータ１０４を内部メモリ部１５においてバッファリングする。そして、メモリカード部１７は、映像処理部１３によりバッファリングされている符号化データ３０１およびエラー監視部１４によりバッファリングされている時間情報３０２を多重されたログデータ１０４を、隣り合ったアドレスに格納する（ステップＳＴ１８）。その後、ネットワーク送信部１６は、符号化データ３０１と時間情報３０２を多重されたログデータ１０４をネットワーク２へ送出し（ステップＳＴ１９）、処理を終了する。
【００１６】
図４は、この発明の実施の形態１に係る監視カメラ装置１のメモリカード部１７への書き込み構成の説明図を示す。符号化データ（１−１）とログデータ（１−２）、符号化データ（２−１）とログデータ（２−２）、符号化データ（３−１）とログデータ（３−２）は、それぞれ同一の時間情報を有しており、これら同一の時間情報を有する符号化データ（１）とログデータ（２）は、メモリカード部１７上において隣り合ったアドレスに格納される。
【００１７】
次に、映像処理部１３の動作について詳細に説明を行う。図５は、この発明の実施の形態１に係る監視カメラ装置１の映像処理部１３の処理のフローチャートを示す。まず、映像受信メモリ部３１が撮像素子部１２により光電子変換されたデジタル映像データ１０３をバッファリングし、デジタル映像データ１０３を映像符号化部３２およびエラー検出部３６へ出力する（ステップＳＴ２１）。
【００１８】
次に、時間情報生成部３４が自己クロックまたはネットワーク２から送入される時刻情報を元に時間情報３０２を生成し、映像符号化タイミング生成部３５とエラー監視部１４に出力する（ステップＳＴ２２）。時間情報生成部３４により生成された時間情報３０２から映像符号化タイミング生成部３５が映像符号化タイミング３０３を生成し、映像符号化部３２へ出力する（ステップＳＴ２３）。映像符号化部３２では、映像符号化タイミング生成部３５により生成された映像符号化タイミング３０３を基準にして、映像受信メモリ部３１においてバッファリングされたデジタル映像データ１０３をＪＰＥＧなどの符号化データに符号化する（ステップＳＴ２４）。その後、映像送信メモリ部３３が、映像符号化部３２により符号化された符号化データ３０１をバッファリングし（ステップＳＴ２５）、映像送信メモリ部３３がバッファリングされた符号化データ３０１をネットワーク送信部１６およびメモリカード部１７へ出力する（ステップＳＴ２６）。
【００１９】
エラー検出部３６は、映像受信メモリ部３１でバッファリングされたデジタル映像データ１０３や符号化データ３０１や、映像送信メモリ部３３でバッファリングされた符号化データ３０１からエラーを検出する他、制御内容の切替や系の切替や監視カメラ装置１のリセットが入ったか否かを検出し、ログデータ３０４を生成し、エラー監視部１４へ出力し（ステップＳＴ２７）、処理を終了する。なお、エラーの検出方法は本発明の内容とは関係ないため記述しない。
【００２０】
メモリカード部１７に既に格納された映像を再生する場合、メモリカード部１７に保存されているログデータの内容に基いて、同時刻の映像を検索することが可能となる。例えば、ユーザが「監視カメラ装置にエラーが発生したときの映像」の再生を所望する場合、時間情報３０２を多重されたログデータ１０４の中から「監視カメラ装置にエラーが発生した」という記録を検索し、メモリカード部１７において、検索により抽出された時間情報３０２を多重されたログデータ１０４の隣り合ったアドレスに格納されている符号化データ３０１をユーザに提示することにより、ログデータの解析を効率的に行うことができる。
【００２１】
以上のように、この発明の実施の形態１によれば、時刻情報を元に時間情報３０２を生成し、デジタル映像データ１０３を時間情報３０２に基づくタイミングで符号化し符号化データ３０１を生成してバッファリングすると共に、符号化過程におけるエラーを検出してログデータ３０４を生成する映像処理部１３と、映像処理部１３により生成されたログデータ３０４に時間情報３０２を多重し、映像処理部１３でバッファリングされている符号化データ３０１と時間的に同一となるよう、時間情報３０２を多重されたログデータ１０４をバッファリングするエラー監視部１４と、映像処理部１３によりバッファリングされている符号化データ３０１およびエラー監視部１４によりバッファリングされている時間情報３０２を多重されたログデータ１０４を、隣り合ったアドレスに格納する内蔵記録媒体部１７とを備えるように構成したので、ログデータの内容をキーワードにして映像の検索が可能となり、障害発生時のエラー解析時間を短縮するという効果がある。
【００２２】
実施の形態２．
図６は、この発明の実施の形態２に係る監視カメラ装置１の構成図を示し、実施の形態１の図２に示す監視カメラ装置１との違いは、同一時間情報を有する符号化データ３０１に時間情報３０２を多重されたログデータ１０４を多重してメモリカード部１７へ書き込む映像多重メモリ部１８を追加で有し、また、メモリカード部１７に書き込むデータの構成が異なる点のみであり、実施の形態１において説明したものと同様の構成には、同一の符号を付して重複した説明を省略する。
【００２３】
動作の説明を行う。図７は、この発明の実施の形態２に係る監視カメラ装置の処理のフローチャートを示す。まず、レンズ部１１が被写体を入力し、撮像素子部１２がレンズ部１１によって入力された光信号１０２を電子データに変換し、デジタル映像データ１０３として映像処理部１３に出力する（ステップＳＴ３１）。映像処理部１３において時間情報生成部３４が時間情報３０２を生成し、映像符号化タイミング生成部３５およびエラー監視部１４へ出力する（ステップＳＴ３２）。映像処理部１３は、光電子変換されたデジタル映像データ１０３に対して映像処理を行い（ステップＳＴ３３）、符号化データ３０１を生成し、符号化データ３０１をバッファリングしてネットワーク送信部１６および映像多重メモリ部１８に出力する（ステップＳＴ３４）。
【００２４】
次に、映像処理部１３において、エラー検出部３６がログデータ３０４を生成してエラー監視部１４へ出力する（ステップＳＴ３５）。エラー監視部１４が、映像処理部１３の、時間情報生成部３４により生成された時間情報３０２と、エラー検出部３６により生成されたログデータ３０４を多重することにより時間情報３０２を多重されたログデータ１０４を生成し（ステップＳＴ３６）、エラー監視部１４が、内部メモリ部１５において時間情報３０２を多重されたログデータ１０４をバッファリングしてネットワーク送信部１６および映像多重メモリ部１８へ出力する（ステップＳＴ３７）。
【００２５】
このとき、エラー監視部１４は映像送信メモリ部３３でバッファリングされた符号化データ３０１と時間的に同一となるように、時間情報３０２を多重されたログデータ１０４を内部メモリ部１５でバッファリングする。映像多重メモリ部１８は、符号化データ３０１に同一の時間情報３０２を多重されたログデータ１０４を多重し、ログデータを多重された符号化データ１０６を生成し（ステップＳＴ３８）、メモリカード部１７はログデータを多重された符号化データ１０６を格納する（ステップＳＴ３９）。ネットワーク送信部１６は、符号化データ３０１と時間情報３０２を多重されたログデータ１０４をネットワーク２へ送出し（ステップＳＴ４０）、処理を終了する。
【００２６】
図８は、この発明の実施の形態２に係る監視カメラ装置１のログデータを多重した符号化データ１０６をメモリカード部１７に書き込むときの構成の説明図を示す。ログデータを多重された符号化データ（１）〜（３）はそれぞれ、映像処理部１３により符号化された符号化データ３０１に同一の時間情報３０２を多重されたログデータ１０４を多重されている。
【００２７】
図９は、この発明の実施の形態２に係る監視カメラ装置１の映像多重メモリ部１８が符号化データ３０１に時間情報３０２を多重されたログデータ１０４を多重するデータ構成の説明図を示す。デジタル映像データは、同期情報、フレーム情報（時間情報を含む）、符号化データで構成されており、そこに同一の時間情報を有するログデータが多重されている。
【００２８】
なお、実施の形態２に係る監視カメラ装置１の映像処理部１３の処理については、図５に示す実施の形態１に係る監視カメラ装置１の映像処理部１３の処理と同様である。
【００２９】
メモリカード部１７に既に格納された映像を再生する場合、メモリカード部１７に保存されているログデータの内容に基いて、同時刻の映像を検索することが可能となる。例えば、ユーザが「監視カメラ装置にエラーが発生したときの映像」の再生を所望する場合、時間情報３０２を多重されたログデータ１０４の中から「監視カメラ装置にエラーが発生した」という記録を検索し、メモリカード部１７において、検索により抽出された時間情報３０２を多重されたログデータ１０４がデータに多重された符号化データ１０６をユーザに提示することにより、ログデータの解析を効率的に行うことができる。
【００３０】
以上のように、この発明の実施の形態２によれば、時刻情報を元に時間情報３０２を生成し、デジタル映像データ１０３を時間情報３０２に基づくタイミングで符号化し符号化データ３０１を生成してバッファリングすると共に、符号化についての処理の過程におけるエラーを検出してログデータ３０４を生成する映像処理部１３と、映像処理部１３により生成されたログデータ３０４に時間情報３０２を多重し、映像処理部１３でバッファリングされている符号化データ３０１と時間的に同一となるよう、時間情報３０２を多重されたログデータ１０４をバッファリングするエラー監視部１４と、映像処理部１３によりバッファリングされている符号化データ３０１にエラー監視部１４によりバッファリングされている時間情報３０２を多重されたログデータ１０４を時間的に同一となるように多重する映像多重メモリ部１８と、映像多重メモリ部１８により時間的に同一なログデータを多重された符号化データ１０６を格納する内蔵記録媒体部１７とを備えるように構成したので、ログデータをキーワードにして映像の検索が可能となる。また、データを１種類にすることが可能なので、障害発生時のエラー解析時間をさらに短縮するという効果がある。
【００３１】
実施の形態３．
実施の形態３に係る監視カメラ装置１は、実施の形態２に係る監視カメラ装置１と同様に、図８に示すように、符号化データ３０１に時間情報３０２を多重されたログデータ１０４を多重してメモリカード部１７に書き込むものである。実施の形態３に係る監視カメラ装置１の構成と図６に示す実施の形態２に係る監視カメラ装置１の構成との違いは、映像多重メモリ部１８が符号化データ３０１の補助データ期間に同一の時間情報３０２を多重されたログデータ１０４を多重する点のみであり、実施の形態１，２において説明したものと同様の構成には、同一の符号を付して重複した説明を省略する。
【００３２】
図１０は、この発明の実施の形態３に係る監視カメラ装置の符号化データ３０１の補助データ期間に時間情報３０２を多重されたログデータ１０４を多重するデータ構成の説明図を示す。符号化データ３０１は、映像符号化データと例えばＪＥＩＴＡ  ＣＰ−３４５１Ａで規定されているＥｘｉｆ（Ｅｘｃｈａｎｇｅａｂｌｅ  ｉｍａｇｅ  ｆｉｌｅ  ｆｏｒｍａｔ）のＡＰＰ１（アプリケーション・マーカセグメント）などの補助データに分けることができるが、実施の形態３に係る監視カメラ装置の映像多重メモリ部１８は、図１０に示すように、符号化データ３０１の補助データ期間に時間情報３０２を多重されたログデータ１０４を多重している。例えば、Ｅｘｉｆで規定されたその他のタグである画像タイトル（Ｉｍａｇｅ  Ｄｅｓｃｒｉｐｔｉｏｎ）にログデータを書き込む。
【００３３】
動作の説明を行う。図１１は、この発明の実施の形態３に係る監視カメラ装置１の処理のフローチャートを示す。まず、レンズ部１１が被写体を入力し、撮像素子部１２がレンズ部１１によって入力された光信号１０２を電子データに変換し、デジタル映像データ１０３として映像処理部１３に出力する（ステップＳＴ４１）。映像処理部１３において時間情報生成部３４が時間情報３０２を生成し、映像符号化タイミング生成部３５およびエラー監視部１４へ出力する（ステップＳＴ４２）。映像処理部１３は、光電子変換されたデジタル映像データ１０３に対して映像処理を行い（ステップＳＴ４３）、符号化データ３０１を生成し、符号化データ３０１をバッファリングしてネットワーク送信部１６および映像多重メモリ部１８に出力する（ステップＳＴ４４）。
【００３４】
次に、映像処理部１３において、エラー検出部３６がログデータ３０４を生成してエラー監視部１４へ出力する（ステップＳＴ４５）。エラー監視部１４が、映像処理部１３の、時間情報生成部３４により生成された時間情報３０２と、エラー検出部３６により生成されたログデータ３０４を多重することにより時間情報３０２を多重されたログデータ１０４を生成し（ステップＳＴ４６）、エラー監視部１４が、内部メモリ部１５において時間情報３０２を多重されたログデータ１０４をバッファリングしてネットワーク送信部１６および映像多重メモリ部１８へ出力する（ステップＳＴ４７）。
【００３５】
このとき、エラー監視部１４は、映像送信メモリ部３３でバッファリングされた符号化データ３０１と時間的に同一となるように、時間情報３０２を多重されたログデータ１０４を内部メモリ部１５でバッファリングする。映像多重メモリ部１８は、符号化データ３０１内の補助データ期間に同一の時間情報３０２を多重されたログデータ１０４を多重し、ログデータを多重された符号化データ１０６を生成し（ステップＳＴ４８）、メモリカード部１７がログデータを多重された符号化データ１０６を格納する（ステップＳＴ４９）。ネットワーク送信部１６は、符号化データ３０１と時間情報３０２を多重されたログデータ１０４をネットワーク２へ送出し（ステップＳＴ５０）、処理を終了する。
【００３６】
メモリカード部１７に既に格納された映像を再生する場合、メモリカード部１７に保存されているログデータの内容に基いて、同時刻の映像を検索することが可能となる。例えば、ユーザが「監視カメラ装置にエラーが発生したときの映像」の再生を所望する場合、時間情報３０２を多重されたログデータ１０４の中から「監視カメラ装置にエラーが発生した」という記録を検索し、メモリカード部１７において、検索により抽出された時間情報３０２を多重されたログデータ１０４を補助データ期間に多重された符号化データ１０６をユーザに提示することにより、ログデータの解析を効率的に行うことができる。
【００３７】
以上のように、この発明の実施の形態３によれば、映像多重メモリ部１８は、映像処理部１３によりバッファリングされている符号化データ３０１の補助データ期間にエラー監視部１４によりバッファリングされている時間情報３０２を多重されたログデータ１０４を多重するように構成したので、ログデータをキーワードにして映像の検索が可能となる。また、データを１種類にすることが可能なので、障害発生時のエラー解析時間をさらに短縮することができる。
【００３８】
実施の形態４．
実施の形態４に係る監視カメラ装置１は、実施の形態２に係る監視カメラ装置１と同様に、図８に示すように、符号化データ３０１に時間情報３０２を多重されたログデータ１０４を多重してメモリカード部１７に書き込むものである。実施の形態４に係る監視カメラ装置１の構成と図６に示す実施の形態２の監視カメラ装置１の構成との違いは、監視カメラの表示画像にログデータを重畳表示させるため、ログデータをビットマップ化し、このビットマップをさらに符号化して生成したログの符号化データを、映像符号化データに多重している点である。具体的には、映像多重メモリ部１８が符号化データ３０１上に同一の時間情報３０２を多重されたログデータ１０４を符号化データに変換して多重する点のみであり、実施の形態１，２において説明したものと同様の構成には、同一の符号を付して重複した説明を省略する。
【００３９】
図１２は、この発明の実施の形態４に係る監視カメラ装置の映像多重メモリ部１８が符号化データ３０１上にログの符号化データを多重するデータ構成の説明図を示し、図１３は、この発明の実施の形態４に係る監視カメラ装置のデジタル映像の表示例を示す。図１２に示すように符号化データ３０１上に時間情報３０２を多重されたログデータ１０４を符号化データに変換して多重しているので、図１３に示すように表示されるデジタル映像上でログ内容が確認できる。
【００４０】
動作の説明を行う。図１４は、この発明の実施の形態４に係る監視カメラ装置の処理のフローチャートを示す。まず、レンズ部１１が被写体を入力し、撮像素子部１２がレンズ部１１によって入力された光信号１０２を電子データに変換し、デジタル映像データ１０３として映像処理部１３に出力する（ステップＳＴ５１）。映像処理部１３において時間情報生成部３４が時間情報３０２を生成し、映像符号化タイミング生成部３５およびエラー監視部１４へ出力する（ステップＳＴ５２）。映像処理部１３は、光電子変換されたデジタル映像データ１０３に対して映像処理を行い（ステップＳＴ５３）、符号化データ３０１を生成し、符号化データ３０１をバッファリングしてネットワーク送信部１６および映像多重メモリ部１８に出力する（ステップＳＴ５４）。
【００４１】
次に、映像処理部１３において、エラー検出部３６がログデータ３０４を生成してエラー監視部１４へ出力する（ステップＳＴ５５）。エラー監視部１４が、映像処理部１３の、時間情報生成部３４により生成された時間情報３０２と、エラー検出部３６により生成されたログデータ３０４を多重することにより時間情報３０２が多重されたログデータ１０４を生成し（ステップＳＴ５６）、エラー監視部１４が、内部メモリ部１５において時間情報３０２を多重されたログデータ１０４をバッファリングしてネットワーク送信部１６および映像多重メモリ部１８へ出力する（ステップＳＴ５７）。
【００４２】
このとき、エラー監視部１４は、映像送信メモリ部３３でバッファリングされた符号化データ３０１と時間的に同一となるように、時間情報３０２を多重されたログデータ１０４を内部メモリ部１５でバッファリングする。映像多重メモリ部１８は、符号化データ３０１上に同一の時間情報３０２を多重されたログデータ１０４をビットマップ化し、このビットマップをさらに符号化して生成したログの符号化データを、映像符号化データ３０１に多重して、ログデータを多重された符号化データ１０６を生成し（ステップＳＴ５８）、メモリカード部１７がログデータを多重された符号化データ１０６を格納する（ステップＳＴ５９）。ネットワーク送信部１６は、符号化データ３０１と時間情報３０２を多重されたログデータ１０４をネットワーク２へ送出し（ステップＳＴ６０）、処理を終了する。
【００４３】
メモリカード部１７に既に格納された映像を再生する場合、メモリカード部１７に保存されているログデータの内容に基いて、同時刻の映像を検索することが可能となる。例えば、ユーザが「監視カメラ装置にエラーが発生したときの映像」の再生を所望する場合、「監視カメラ装置にエラーが発生した」という記録を映像上で検索し、その映像データをユーザに提示することにより、ログデータの解析を効率的に行うことができる。
【００４４】
以上のように、この発明による実施の形態４によれば、映像多重メモリ部１８は、映像処理部１８によりバッファリングされている符号化データ３０１上にエラー監視部１４によりバッファリングされている時間情報３０２を多重されたログデータ１０４を符号化データに変換して多重するように構成したので、映像をモニタしながらログデータをキーワードにして映像の検索が可能となり、障害発生時のエラー解析時間をさらに短縮することができる。
【００４５】
実施の形態５．
実施の形態２〜４では、エラー監視部１４により時間情報３０２を多重されたログデータ１０４を符号化データ３０１に多重する構成を示したが、時間情報３０２を多重されたログデータ１０４の内容に応じて、これらの構成のどれかを使用するように組み合わせて構成してもよく、また、実施の形態１のように、時間情報３０２を多重されたログデータ１０４を符号化データ３０１に多重しないように構成してもよい。
【００４６】
以上のように、実施の形態５では、ログデータの内容によって、実施の形態１〜４の構成を組み合わせるように構成したので、時間情報３０２を多重されたログデータ１０４をキーワードにして、特定の構成に記憶した映像情報だけを検索することが可能となり、障害発生時のエラー解析時間をさらに短縮するという効果がある。
【００４７】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４８】
１  監視カメラ装置、２  ネットワーク、３  映像記録装置、１１  レンズ部、１２  撮像素子部、１３  映像処理部、１４  エラー監視部、１５  内部メモリ部、１６  ネットワーク送信部、１７  メモリカード部（内蔵記録媒体部）、１８  映像多重メモリ部、３１  映像受信メモリ部、３２  映像符号化部、３３  映像送信メモリ部、３４  時間情報生成部、３５  映像符号化タイミング生成部、３６  エラー検出部、１０１  デジタル映像データとログデータ、１０２  光信号、１０３  デジタル映像データ、１０４  時間情報を多重されたログデータ、１０５  メモリカード部に格納されたデータ、１０６  ログデータを多重された符号化データ、３０１  符号化データ、３０２  時間情報、３０３  映像符号化タイミング、３０４  ログデータ。
【図１】
2013157802.tif 000003
【図２】
2013157802.tif 000004
【図３】
2013157802.tif 000005
【図４】
2013157802.tif 000006
【図５】
2013157802.tif 000007
【図６】
2013157802.tif 000008
【図７】
2013157802.tif 000009
【図８】
2013157802.tif 000010
【図９】
2013157802.tif 000011
【図１０】
2013157802.tif 000012
【図１１】
2013157802.tif 000013
【図１２】
2013157802.tif 000014
【図１３】
2013157802.tif 000015
【図１４】
2013157802.tif 000016